(57)【要約】【課題】  分岐開閉器の数が多くなっても大型化することがなく、配線の引き回しを容易に行える分電盤を提供する。【解決手段】  主開閉器１の二次側端子１１に電気的に接続される複数の主幹バー３を長手方向が略水平方向と一致するように配設し、分岐バー４を主幹バー３の適所から長手方向が略鉛直方向と一致するように鉛直上方に接続し、分岐開閉器２を各分岐バー４の略水平方向両側に配置した。【選択図】        図１
2007089300.tif 000002
【特許請求の範囲】
【請求項１】
建物の壁面に取付けられて内部機器を支持する盤本体と、主開閉器と、主開閉器の二次側端子に電気的に接続される複数の主幹バーと、主幹バーから延出する複数の分岐バーと、一次側端子が分岐バーと電気的に接続される複数の分岐開閉器とを備えた分電盤であって、主幹バーは、長手方向が略水平方向と一致するように盤本体内に配設され、分岐バーは、主幹バーの適所から長手方向が略鉛直方向と一致するように鉛直上方に接続され、分岐開閉器は、各分岐バーの略水平方向両側に配置されることを特徴とする分電盤。
【請求項２】
建物の壁面に取付けられて内部機器を支持する盤本体と、主開閉器と、主開閉器の二次側端子に電気的に接続される複数の主幹バーと、主幹バーから延出する複数の分岐バーと、一次側端子が分岐バーと電気的に接続される複数の分岐開閉器とを備えた分電盤であって、主幹バーは、長手方向が略水平方向と一致するように盤本体内に配設され、分岐バーは、主幹バーの適所から長手方向が略鉛直方向と一致するように鉛直下方に接続され、分岐開閉器は、各分岐バーの略水平方向両側に配置されることを特徴とする分電盤。
【発明の詳細な説明】
【技術分野】
【０００１】
本発明は、本発明は、主開閉器や分岐開閉器等の内部機器を配置、配線して成る分電盤に関する。
【背景技術】
【０００２】
従来の分電盤として、主開閉器等の内部機器を支持する盤本体の背面を、長手方向を略鉛直方向と一致させるように建物の壁面に取付ける縦型の分電盤がある（特許文献１参照。以下、「従来例１」と呼ぶ）。この種の縦型の分電盤は、図３に示すように、長手方向を略鉛直方向と一致させて建物の壁面に取付けられる盤本体１００内に、主開閉器１０１を鉛直上方の略中央に配置し、主開閉器１０１の二次側端子に電気的に接続される複数の主幹バー１０２を主開閉器１０１の鉛直下方に設け、主幹バー１０２を介して主開閉器１０１と電気的に接続される複数の分岐開閉器１０３を主幹バー１０２を挟んだ略水平方向両側に配設して成る。また、他の分電盤として、長手方向を略水平方向と一致させて建物の壁面に取付けられる盤本体１００内に、主開閉器１０１を水平方向の一端の略中央に配置し、複数の主幹バー１０２を盤本体１００の鉛直方向の略中央を通り長手方向が略水平方向と一致するように設け、複数の分岐開閉器１０３を主幹バー１０２を挟んだ略鉛直方向両側に配設した横型の分電盤がある（特許文献２参照。以下、「従来例２」と呼ぶ）。
【特許文献１】実開平６−８８１１４号公報
【特許文献２】特開平６−３１５２０９号公報
【発明の開示】
【発明が解決しようとする課題】
【０００３】
しかしながら、従来例１のような縦型の分電盤では、分岐開閉器１０３が主幹バー１０２を挟んで略水平方向両側に配設されているため、各分岐開閉器１０３から鉛直上方又は鉛直下方に配線を引き回す際に、主幹バー１０２の両側の分岐開閉器１０３全体毎に配線を引き伸ばす必要があり、分岐開閉器１０３の数が多くなると盤本体１００の幅方向のスペースを必要とし、したがって盤本体１００を大きく形成しなければならないという問題があった。
【０００４】
また、従来例２のような横型の分電盤においても、分岐開閉器が主幹バーを挟んで略鉛直方向両側に配設されているため、各分岐開閉器から鉛直上方又は鉛直下方に配線を引き回す際に、いずれか片側の分岐開閉器の配線を逆側に引き回さなければならず、配線を引き回す作業が煩雑となり且つ盤本体の鉛直方向のスペースが必要となり、したがって盤本体を大きく形成しなければならないという問題があった。そこで、逆側に引き回す配線を分岐開閉器及び主幹バーの背面を通すことで鉛直方向のスペースを減らすことも考えられるが、この場合盤本体の深さ方向のスペースを必要とするため、盤本体が大きくなることが避けられなかった。
【０００５】
本発明は上記の点に鑑みて為されたもので、分岐開閉器の数が多くなっても大型化することがなく、配線の引き回しを容易に行える分電盤を提供することを目的とする。
【課題を解決するための手段】
【０００６】
請求項１の発明は、上記目的を達成するために、建物の壁面に取付けられて内部機器を支持する盤本体と、主開閉器と、主開閉器の二次側端子に電気的に接続される複数の主幹バーと、主幹バーから延出する複数の分岐バーと、一次側端子が分岐バーと電気的に接続される複数の分岐開閉器とを備えた分電盤であって、主幹バーは、長手方向が略水平方向と一致するように盤本体内に配設され、分岐バーは、主幹バーの適所から長手方向が略鉛直方向と一致するように鉛直上方に接続され、分岐開閉器は、各分岐バーの略水平方向両側に配置されることを特徴とする。
【０００７】
請求項２の発明は、上記目的を達成するために、建物の壁面に取付けられて内部機器を支持する盤本体と、主開閉器と、主開閉器の二次側端子に電気的に接続される複数の主幹バーと、主幹バーから延出する複数の分岐バーと、一次側端子が分岐バーと電気的に接続される複数の分岐開閉器とを備えた分電盤であって、主幹バーは、長手方向が略水平方向と一致するように盤本体内に配設され、分岐バーは、主幹バーの適所から長手方向が略鉛直方向と一致するように鉛直下方に接続され、分岐開閉器は、各分岐バーの略水平方向両側に配置されることを特徴とする。
【発明の効果】
【０００８】
請求項１の発明によれば、主幹バーを長手方向が略水平方向と一致するように配設し、分岐バーを主幹バーの適所から長手方向が略鉛直方向と一致するように鉛直上方に接続し、分岐開閉器を各分岐バーの略水平方向両側に配置したので、各分岐開閉器からの配線を全て主幹バーよりも鉛直上方に引き回すことができるため、配線を引き回す作業を容易に行うことができ、さらに配線に必要なスペースを狭くすることができ、したがって盤本体の大きさを小さくすることができる。
【０００９】
請求項２の発明によれば、主幹バーを長手方向が略水平方向と一致するように配設し、分岐バーを主幹バーの適所から長手方向が略鉛直方向と一致するように鉛直下方に接続し、分岐開閉器を各分岐バーの略水平方向両側に配置したので、各分岐開閉器からの配線を全て主幹バーよりも鉛直下方に引き回すことができるため、配線を引き回す作業を容易に行うことができ、さらに配線に必要なスペースを狭くすることができ、したがって盤本体の大きさを小さくすることができる。
【発明を実施するための最良の形態】
【００１０】
（第一の実施形態）
以下、本発明の第一の実施形態について図１を用いて説明する。本実施形態の分電盤は、内部機器等を支持する盤本体５の内部において、主開閉器１と、主開閉器１の二次側端子１１に電気的に接続される主幹バー３と、主幹バー３から延出する複数の分岐バー４と、一次側端子（以下、「電源側端子２１」と呼ぶ）が分岐バー４と電気的に接続される複数の分岐開閉器２とが基板６上に取付けられている。
【００１１】
盤本体５は金属板で箱状に形成され、平板形状の背板５１の周囲に周壁を形成する枠部５２が一体化されており、背板５１と対向する前面側が開口している。この前面側に蓋体（図示せず）が着脱自在に装着されるようになっている。盤本体５は、背板５１を長手方向が略水平方向と一致するように建物の壁面に取付けることで配置される。
【００１２】
基板６は平板形状の金属板で形成されており、基板６の四隅には、基板６を支持する４本の支持部材７をそれぞれ取付けるための取付孔（図示せず）が設けられている。基板６上には、主開閉器１をねじ止めによって固定するための機器用取付孔（図示せず）が複数箇所設けられており、また分岐バー４が取付けられるバー取付台６１と、分岐開閉器２が取付けられる分岐開閉器用取付台６２が複数箇所にねじ止めによって取付け固定されている。バー取付台６１は、図１（ｂ）における平面視凸形状に形成されており、略中央の鉛直上方向に立設された段部上面には中性極の分岐バー４ｂが取付けられ、段部を挟む両側の上面にはそれぞれ電圧極の分岐バー４ａ、４ｃが取付けられる。分岐開閉器用取付台６２は、図１（ｂ）における平面視略コ字形状に形成され、分岐開閉器２を固定して支持する。
【００１３】
支持部材７は、図１（ｂ）に示すように、ボルト７ａ及びナット７ｂ、並びに頭部を嵌合させた状態でボルト７ａを保持する側面視略コ字状の保持部材７ｃで構成されている。盤本体５の背板５１に保持部材７ｃが溶接され、この保持部材７ｃからボルト７ａの螺子部を挿通させ、該螺子部を基板６の四隅に設けられた取付孔に挿通させてナット７ｂにて固定している。
【００１４】
主開閉器１は、長手方向の一端に外部電源と電気的に接続される一次側端子１０を、他端に主幹バー３と電気的に接続される二次側端子１１を備え、盤本体５の図１（ａ）における左端部の略中央に一次側端子１０が鉛直上方に、二次側端子１１が鉛直下方に位置するように配置されている。また、前面には内部の接点を開閉して電気回路の断絶及び接続を切り替える操作ハンドル１２が設けられている。一次側端子１０は、３つの端子が一定の間隔を空けて配設されており、中央の端子は外部電源からの中性線が接続される中性極１０ｂで、その両側の端子は外部電源からの電圧線が接続される電圧極１０ａ、１０ｃである。二次側端子１１も３つの端子が一定の間隔を空けて配設されており、中央の端子は中性極１１ｂで、その両側の端子は電圧極１１ａ、１１ｃである。
【００１５】
主幹バー３は、金属板で帯板状に形成され、主開閉器１の二次側端子１１の中性極１１ｂと接続される中性極用主幹バー３ｂと、電圧極１１ａ、１１ｃと接続される電圧極用主幹バー３ａ、３ｃの計３本で構成される。それぞれの一端が主開閉器１の二次側端子１１にねじ止めされることで電気的に接続されており、長手方向が略水平方向と一致するように盤本体５の鉛直下方の辺に沿って配設されている。
【００１６】
分岐バー４は、金属板で帯板状に形成され、中性極の主幹バー３ｂと接続される中性極の分岐バー４ｂと、電圧極の主幹バー３ａ、３ｃとそれぞれ接続される電圧極の分岐バー４ａ、４ｃの計３本で構成される。それぞれの一端が３本一組で主幹バー３にねじ止めされることで電気的に接続され、主幹バー３の適所から一定の間隔を空けて長手方向が略鉛直方向と一致するように主幹バー３の鉛直上方へと配設されている。
【００１７】
分岐開閉器２は、分岐バー４を挟んで図１（ａ）における左右方向両側に配置されており、長手方向の一端に負荷と電気的に接続される負荷側端子２０を、他端には分岐バー４と電気的に接続される電源側端子２１を備え、前面には内部の接点を開閉して電気回路の断絶及び接続を切り替える操作ハンドル２２が設けられている。尚、負荷側端子２０及び電源側端子２１は略水平方向と一致するように配置され、電源側端子２１が分岐バー４の近傍に位置している。分岐バー４を挟んで対向する一対の分岐開閉器２は、それぞれの電源側端子２１を金属板で帯板状に形成された２本の導電バー８によって接続されており、一方の導電バー８と電圧極の分岐バー４ａとがねじ止めによって接続され、他方の導電バー８と電圧極の分岐バー４ｃとがねじ止めによって接続される。また、負荷側端子２０には、電気機器等の負荷と接続するための電線（図示せず）が接続される。尚、本実施形態では、通常、電源側端子２１は導電バー８を介して電圧極の分岐バー４ａ、４ｃとそれぞれ接続されているが、いずれか一方の導電バー８は、電圧極の分岐バー４ｂと接続するか中性極の分岐バー４ｂと接続するかを任意に切り換えることができるようになっている。
【００１８】
上述のように構成することで、分岐開閉器２が全て主幹バー３の鉛直上方に配置され且つ負荷側端子２０も全て略水平方向に配置されるので、分岐開閉器２から天井側に引き回す電線の配線を全て主幹バー３の鉛直上方で容易に行うことができ、さらに鉛直方向における配線に必要なスペースを狭くすることができる。
（第二の実施形態）
以下、本発明の第二の実施形態について図２を用いて説明する。但し、第一の実施形態と共通する部分については説明を省略する。本実施形態の分電盤は、主開閉器１を盤本体５の図２における左端部に長手方向が略鉛直方向と一致するように配置し、一次側端子１０が鉛直下方に、二次側端子１１が鉛直上方に位置するようにしている。二次側端子１１には主幹バー３の一端が接続され、主幹バー３は長手方向が略水平方向と一致するように盤本体５の鉛直上方の辺に沿って配設されている。分岐バー４は、その一端が主幹バー３の適所に接続され、長手方向が略鉛直方向と一致するように主幹バー３の鉛直下方へと配設されている。分岐開閉器２は、分岐バー４を挟んで図２における左右方向両側に配置されている。
【００１９】
上述のように構成することで、分岐開閉器２が全て主幹バー３の鉛直下方に配置され且つ負荷側端子２０も全て略水平方向に配置されるので、分岐開閉器２から床側に引き回す電線の配線を全て主幹バー３の鉛直下方で容易に行うことができ、さらに鉛直方向における配線に必要なスペースを狭くすることができる。
【図面の簡単な説明】
【００２０】
【図１】本発明の第一の実施形態の分電盤を示す図で、（ａ）は平面図で、（ｂ）は断面図である。
【図２】本発明の第二の実施形態の分電盤を示す平面図である。
【図３】従来の盤本体の長手方向を略鉛直方向に一致させた縦型の分電盤を示す平面図である。
【符号の説明】
【００２１】
１  主開閉器
１１  二次側端子
２  分岐開閉器
２１  一次側端子（電源側端子）
３  主幹バー
４  分岐バー
【図１】
2007089300.tif 000003
【図２】
2007089300.tif 000004
【図３】
2007089300.tif 000005